(57)【要約】【課題】返却された記憶媒体が放置されたままとなることを防止し得る各台装置を提供する。【解決手段】貸出処理機５は、カードに有価価値を関連付けるための情報処理を行うカード処理部２２と、カード処理部２２の動作を制御する制御部２９とを備える。カード処理部２２は、有価価値が関連付けられたカードを、その一部が外部に露出するようにカード処理部２２の出入口に排出させる排出動作と、出入口に排出されたカードを、外部への露出部分がないようカード処理部２２の内部に取り込む取込動作とを行うことが可能である。制御部２９は、カード処理部２２に排出動作を行わせた後、所定の取り込み条件が満たされた場合に、カード処理部２２に取込動作を行わせる。【選択図】図３
2018078933.tif 000002
【特許請求の範囲】
【請求項１】
有価価値に基づいて遊技媒体の貸し出しを行うため、遊技台に対応して設けられる各台装置において、
記憶媒体に有価価値を関連付けるための情報処理を行う記憶媒体処理部と、
前記記憶媒体処理部の動作を制御する制御部と、を備え、
前記記憶媒体処理部は、有価価値が関連付けられた前記記憶媒体を、その一部が外部に露出するように前記記憶媒体処理部の開口部に排出させる排出動作と、前記開口部に排出された前記記憶媒体を、外部への露出部分がないよう前記記憶媒体処理部の内部に取り込む取込動作とを行うことが可能であり、
前記制御部は、前記記憶媒体処理部に前記排出動作を行わせた後、所定の取り込み条件が満たされた場合に、前記記憶媒体処理部に前記取込動作を行わせる、
ことを特徴とする各台装置。
【請求項２】
前記制御部は、前記記憶媒体が前記開口部に排出されてから所定時間が経過したことに基づいて、前記取り込み条件が満たされたと判定する、
ことを特徴とする請求項１に記載の各台装置。
【請求項３】
前記制御部は、前記記憶媒体が前記開口部に排出された後に前記遊技台が遊技客による遊技が終了された状態になったことに基づいて、前記取り込み条件が満たされたと判定する、
ことを特徴とする請求項１または２に記載の各台装置。
【請求項４】
前記記憶媒体処理部は、
前記記憶媒体を収納する収納部を有し、前記収納部から取り出した前記記憶媒体に有価価値を関連付けて前記開口部に排出し、
前記開口部に排出された前記記憶媒体を取り込んだとき、取り込んだ前記記憶媒体を前記収納部に収納される前の位置に保持する、
ことを特徴とする請求項１ないし３の何れか一項に記載の各台装置。
【請求項５】
前記制御部は、前記記憶媒体処理部に前記取込動作を行わせた後、少なくとも前記記憶媒体が関わる前記各台装置の使用を制限する使用制限処理を行う、
ことを特徴とする請求項１ないし４の何れか一項に記載の各台装置。
【請求項６】
前記制御部は、前記使用制限処理として、少なくとも前記遊技媒体を貸し出すため貸出操作の受け付けを禁止する、
ことを特徴とする請求項５に記載の各台装置。
【請求項７】
前記制御部は、前記記憶媒体の種類に応じて前記使用制限処理の内容を変更する、
ことを特徴とする請求項５または６に記載の各台装置。
【請求項８】
前記制御部は、
前記取込動作により取り込まれた前記記憶媒体が、パスワードが付与される種類の記憶媒体である場合、パスワードの入力の受け付けを許容し、
受け付けられたパスワードが、前記記憶媒体に付与されたパスワードに一致する場合、前記使用制限処理を停止する、
ことを特徴とする請求項７に記載の各台装置。
【請求項９】
前記制御部は、受け付けられたパスワードが、前記記憶媒体に付与されたパスワードに一致する場合、前記記憶媒体処理部に、取り込んだ前記記憶媒体を前記開口部に排出させる、
ことを特徴とする請求項８に記載の各台装置。
【請求項１０】
請求項１ないし９の何れか一項に記載の各台装置と、
前記各台装置と通信可能に接続され、前記各台装置において前記記憶媒体に関連付けられる有価価値を、前記記憶媒体に付加される識別情報とともに記憶し、管理する管理装置と、
を備えることを特徴とする遊技システム。
【発明の詳細な説明】
【技術分野】
【０００１】
本発明は、現金、プリペイド価値等の有価価値に基づいて遊技媒体の貸し出しを行うため、遊技台に対応して設けられる各台装置、および、かかる各台装置を含んでなる遊技システムに関する。
【背景技術】
【０００２】
パチンコ店などの遊技施設では、パチンコ台、パチスロ台などの遊技台にパチンコ玉、メダルなどの遊技媒体を貸し出すため、各台装置である貸出処理機が遊技台に併設されている。
【０００３】
貸出処理機には、現金（紙幣）やカードが投入される。カードには、有価価値としてプリペイド価値などが記憶される。貨幣処理機は、現金、プリペイド価値などの有価価値を受け付ける。遊技客が貸出処理機に現金やカードの投入した後、遊技台において貸出操作を行うと、遊技台から遊技媒体が貸し出される。貸出処理機では、貸し出された遊技媒体の数量分の有価価値が、元の有価価値から差し引かれる。
【０００４】
遊技客が遊技台での遊技を終えた際に、貸出処理機に残有価価値があれば、遊技客は、遊技台において返却操作を行うことで、それらを返却させることができる。このとき、貸出処理機への投入がカードでなく現金であれば、貸出処理機に予め収納されていたカードに残有価価値が書き込まれ、そのカードが貸出処理機から排出される。即ち、現金が返却される代わりに、残有価価値が記憶されたカードが新たに発行される。一方、貸出処理機への投入がカードであれば、投入されたカードに残有価価値が書き込まれ、そのカードが貸出処理機から排出される。
【０００５】
このようにカードが取り扱われる貸出処理機において、遊技客が貸出処理機の中からカードを取り忘れた場合に、取り忘れられたカードに残有価価値があるか否かを判断し、残有価価値のあるカードと残有価価値がないカードとに対して異なる処理を行うことで、係員がこれらカードを区別できるようにした貸出処理機が、特許文献１に記載されている。このような構成とすることで、係員が、取り忘れられたカードごとに残高の有無を確認する必要がなくなる。
【先行技術文献】
【特許文献】
【０００６】
【特許文献１】特開２００７−６１１７０号公報
【発明の概要】
【発明が解決しようとする課題】
【０００７】
上記のように遊技客が貸出処理機の中からカードを取り忘れる場合だけでなく、遊技客が返却操作によって貸出処理機から返却させたカードを取り忘れてしまう場合がある。たとえば、遊技客が、大当たりによって大量の遊技媒体を獲得したため、一旦、最初に投入した現金の残金を返却させる場合がある。この場合、返却操作が行われると、その残金に対応するプリペイド価値が書き込まれたカードが貸出処理機から排出される。遊技客が、排出されたカードを直ちに所持せず、獲得した遊技媒体で遊技を続けた場合、遊技客は、時間が経つことで排出したカードのことを忘れてしまい、そのカードを放置したまま、遊技台から離席したり遊技を終えて帰ったりしやすい。貨幣処理機から返却されたカードが放置されたままとなるのは、紛失等の原因となり、必ずしも望ましいことではない。
【０００８】
上記特許文献１には、貸出処理機から返却されたカードが取り忘れられ、そのまま放置された場合の対策について開示されていない。
【０００９】
そこで、本発明は、返却された記憶媒体が放置されたままとなることを防止し得る各台装置および遊技システムを提供することを目的とする。
【課題を解決するための手段】
【００１０】
本発明の第１の態様は、有価価値に基づいて遊技媒体の貸し出しを行うため、遊技台に対応して設けられる各台装置に関する。本態様に係る各台装置は、記憶媒体に有価価値を関連付けるための情報処理を行う記憶媒体処理部と、前記記憶媒体処理部の動作を制御する制御部と、を備える。ここで、前記記憶媒体処理部は、有価価値が関連付けられた前記記憶媒体を、その一部が外部に露出するように前記記憶媒体処理部の開口部に排出させる排出動作と、前記開口部に排出された前記記憶媒体を、外部への露出部分がないよう前記記憶媒体処理部の内部に取り込む取込動作とを行うことが可能である。前記制御部は、前記記憶媒体処理部に前記排出動作を行わせた後、所定の取り込み条件が満たされた場合に、前記記憶媒体処理部に前記取込動作を行わせる。
【００１１】
たとえば、前記制御部は、前記記憶媒体が前記開口部に排出されてから所定時間が経過したことに基づいて、前記取り込み条件が満たされたと判定する。あるいは、前記制御部は、前記記憶媒体が前記開口部に排出された後に前記遊技台が遊技客による遊技が終了された状態になったことに基づいて、前記取り込み条件が満たされたと判定する。
【００１２】
上記の構成によれば、記憶媒体処理部の開口部に返却された記憶媒体が、取り忘れられた状態になると、記憶媒体処理部の内部に取り込まれるので、取り忘れられた記憶媒体が放置されたままとなることを防止できる。
【００１３】
本態様に係る各台装置において、前記記憶媒体処理部は、前記記憶媒体を収納する収納部を有し、前記収納部から取り出した前記記憶媒体に有価価値を関連付けて前記開口部に排出し、前記開口部に排出された前記記憶媒体を取り込んだとき、取り込んだ前記記憶媒体を前記収納部に収納される前の位置に保持するような構成とされ得る。
【００１４】
上記の構成によれば、取り込まれた記憶媒体は、収納部に収納された状態とならず、その前の状態に留められるので、その記憶媒体を、再び返却することが生じた場合に、収納部から取り出す作業が要らない分、記憶媒体を速く開口部に返却できる。
【００１５】
本態様に係る各台装置において、前記制御部は、前記記憶媒体処理部に前記取込動作を行わせた後、少なくとも前記記憶媒体が関わる前記各台装置の使用を制限する使用制限処理を行うような構成とされ得る。
【００１６】
上記の構成によれば、記憶媒体が記憶媒体処理部に取り込まれた後は、少なくとも記憶媒体に関わる各台装置の使用が制限されるので、取り込まれた記憶媒体に関する不具合が生じることが防止される。
【００１７】
上記の構成とされた場合、さらに、前記制御部は、前記使用制限処理として、少なくとも前記遊技媒体を貸し出すため貸出操作の受け付けを禁止するような構成とされ得る。
【００１８】
このような構成とされれば、取り込まれた記憶媒体に関連付けられた有価価値が不用意に使用されることが防止される。
【００１９】
上記の構成とされた場合、さらに、前記制御部は、前記記憶媒体の種類に応じて前記使用制限処理の内容を変更するような構成とされ得る。
【００２０】
このような構成とされれば、各台装置の使用に、各種類の記憶媒体に関連付けられる情報内容に応じた制限を掛けることができる。
【００２１】
上記の構成とされた場合、さらに、前記制御部は、前記取込動作により取り込まれた前記記憶媒体が、パスワードが付与される種類の記憶媒体である場合、パスワードの入力の受け付けを許容し、受け付けられたパスワードが、前記記憶媒体に付与されたパスワードに一致する場合、前記使用制限処理を停止するような構成とされ得る。
【００２２】
このような構成とされれば、パスワードが付与された記憶媒体を所持する遊技客は、自ら各台装置を通常の状態に戻すことができ、遊技客に対する利便性が向上する。
【００２３】
上記の構成とされた場合、さらに、前記制御部は、受け付けられたパスワードが、前記記憶媒体に付与されたパスワードに一致する場合、前記記憶媒体処理部に、取り込んだ前記記憶媒体を前記開口部に排出させるような構成とされ得る。
【００２４】
このような構成とされれば、パスワードが付与された記憶媒体を所持する遊技客は、一旦取り込まれた記憶媒体を自ら各台装置から取り出すことができ、遊技客に対する利便性が向上する。
【００２５】
本発明の第２の態様に係る遊技システムは、第１の態様に係る各台装置と、前記各台装置と通信可能に接続され、前記各台装置において前記記憶媒体に関連付けられる有価価値を、前記記憶媒体に付加される識別情報とともに記憶し、管理する管理装置と、を備える。
【００２６】
上記の構成によれば、第１の態様に係る各台装置と同様に、取り忘れられた記憶媒体が放置されたままとなることを防止できる。
【発明の効果】
【００２７】
本発明によれば、返却された記憶媒体が放置されたままとなることを防止し得る各台装置および遊技システムを提供することができる。
【００２８】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２９】
【図１】図１は、本実施形態に係る、遊技システムの構成を示すブロック図である。
【図２】図２は、本実施形態に係る、パチンコ台および貸出処理機の構成を示す図である。
【図３】図３は、本実施形態に係る、貸出処理機の構成を示すブロック図である。
【図４】図４は、本実施形態に係る、カード処理部の内部構造を模式的に示す平面図である。
【図５】図５（ａ）ないし（ｃ）は、本実施形態に係る、収納部からカードを繰り出して出入口に排出するときの動作であるカード処理部の返却動作について説明するための図である。
【図６】図６（ａ）ないし（ｃ）は、本実施形態に係る、出入口からカードを取り込んで収納部に収納するときの動作であるカード処理部の受付動作について説明するための図である。
【図７】図７は、本実施形態に係る、カード返却・取り忘れ処理の制御動作を示すフローチャートである。
【図８】図８は、本実施形態に係る、カード返却・取り忘れ処理の制御動作を示すフローチャートである。
【図９】図９（ａ）ないし（ｃ）は、それぞれ、本実施形態に係る、操作表示部に表示されるガイダンス画面、パスワード入力画面および再入力通知画面の一例を示す図である。
【図１０】図１０（ａ）は、変更例１に係る、カード返却・取り忘れ処理の制御動作を示すフローチャートであり、図１０（ｂ）は、変更例１に係る、操作表示部に表示される返却ワード入力画面の一例を示す図である。
【発明を実施するための形態】
【００３０】
以下、本発明の実施形態について、図面を参照して説明する。
【００３１】
以下の実施形態において、パチンコ台４が、特許請求の範囲に記載の「遊技台」に対応する。また、貸出処理機５が、特許請求の範囲に記載の「各台装置」に対応する。さらに、カード処理部２２が、特許請求の範囲に記載の「記憶媒体処理部」に対応する。さらに、出入口２２ａが、特許請求の範囲に記載の「開口部」に対応する。さらに、収納室１０８が、特許請求の範囲に記載の「収納部」に対応する。さらに、カードＣが、特許請求の範囲に記載の「記憶媒体」に対応する。
【００３２】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００３３】
図１は、本実施形態に係る、遊技システム１の構成を示すブロック図である。遊技システム１は、遊技施設、たとえば、パチンコ店の店舗内に構成され、管理装置２と、複数の島コントローラ３と、複数のパチンコ台４と、複数の貸出処理機５とを備える。店舗内には、複数組のパチンコ台４および貸出処理機５からなる複数の遊技島が設けられる。そして、遊技島ごとに島コントローラ３が配置される。管理装置２と、島コントローラ３と、貸出処理機５とは、店舗内ＬＡＮなどのネットワーク回線６を介して通信可能に接続される。また、パチンコ台４と貸出処理機５とは、無線回線または有線回線を介して通信可能に接続される。
【００３４】
管理装置２には、各貸出処理機５から、貸出処理機５内のカードに関連付けられるプリペイド価値、持玉数などの有価価値が、カードの識別情報であるＩＤとともに通知される。管理装置２は、その内部のデータベース（図示せず）に、通知された有価価値をカードのＩＤに対応付けて記憶することで、各貸出処理機５が受け付けた有価価値を一元的に管理する。
【００３５】
島コントローラ３は、管理装置２と貸出処理機５との間で通信データの中継を行う。パチンコ台４は、遊技客がパチンコの遊技を行うための遊技台である。
【００３６】
貸出処理機５は、パチンコ台４ごとに設置される。貸出処理機５は、現金またはカードに関連付けられたプリペイド価値に基づいて、パチンコ台４を利用する遊技客にパチンコ玉を貸し出す貸出機能を有する。さらに、貸出処理機５は、遊技客がパチンコ台４から獲得したパチンコ玉の数を計測する計数機能を有する。
【００３７】
図２は、本実施形態に係る、パチンコ台４および貸出処理機５の構成を示す図である。図３は、本実施形態に係る、貸出処理機５の構成を示すブロック図である。
【００３８】
パチンコ台４には、その前面に遊技盤１１が設けられる。遊技盤１１には下部にアウト口１１ａが設けられ、アウト口１１ａの奥方にアウト玉検出センサ１２が配置される。アウト玉検出センサ１２は、アウト口１１ａから排出されるパチンコ玉、即ちアウト玉を検出し、アウトパルスを出力する。
【００３９】
さらに、パチンコ台４の前面には、遊技盤１１の下方に、上皿１３と下皿１４とが設けられる。上皿１３には、貸出や入賞の際に、パチンコ台４の内部に設けられた払出機構１５から払出口１３ａを通じてパチンコ玉が払い出される。上皿１３には、パチンコ玉が一時的に貯留され、上皿１３にパチンコ玉が一杯になると、上皿１３から下皿１４にパチンコ玉が移される。払出口１３ａの奥方には、セーフ玉検出センサ１６が配置される。セーフ玉検出センサ１６は、入賞時に払出口１３ａから払い出されたパチンコ玉、即ちセーフ玉を検出し、セーフパルスを出力する。
【００４０】
上皿１３の前面には、貸出ボタン１７と、返却ボタン１８と、表示部１９とが設けられる。貸出ボタン１７は、パチンコ玉を貸し出すための貸出操作に用いられる。返却ボタン１８は、遊技の終了に伴って有価価値が関連付けられたカードを返却するための返却操作に用いられる。表示部１９は、カードの残額を表示する。
【００４１】
貸出処理機５は、パチンコ台４の左側に併設され、上下に細長いボックス形状を有する。貸出処理機５では、現金（紙幣）の他、記憶媒体であるカードＣが取り扱われる。カードＣは、たとえば、ＩＣカードである。カードＣには、そのカードＣのＩＤが記憶される。また、カードＣには、有価価値が関連付けられる。カードＣの種類として、会員登録を行った遊技客に発行される会員カードと、会員カードを所持しない遊技客に発行される一般カードとがある。一般カードに関連付けられる有価価値には、プリペイド価値、持球数が含まれる。会員カードに関連付けられる有価価値には、プリペイド価値、持球数の他、貯玉数が含まれる。また、会員カードには、パスワード（暗証番号）が付与される。
【００４２】
遊技客が当日の遊技で獲得したパチンコ玉は、データに変換し、持玉として、その個数である持玉数をカードＣに関連付けることができる。持玉は、当日のうちであれば、カードＣから引き出してパチンコ玉に替えたり景品に替えたりすることができる。持玉は、その日の営業が終了した時点で効力を失う。会員カードに関連付けられた持玉は、翌日以降に利用する場合、貯玉として、店舗に預けることができる。この場合、会員カードに貯玉数が関連付けられ、貯玉数に基づくパチンコ玉の貸し出しや景品交換が可能となる。
【００４３】
本実施形態では、カードＣ自身に有価価値が記憶されることにより、カードＣに有価価値が関連付けられる。さらには、管理装置２のデータベースに、カードＣのＩＤに対応付けて有価価値が記憶されることによっても、カードＣに有価価値が関連付けられる。このように、有価価値がカードＣと管理装置２の双方に記憶されることで、どちらかでの有価価値の記憶が失われても、有価価値の消失を防止できる。
【００４４】
貸出処理機５は、紙幣処理部２１と、カード処理部２２と、計数部２３と、操作表示部２４と、再プレイボタン２５と、状態表示ランプ２６と、リモコン受光部２７と、通信部２８と、制御部２９と、記憶部３０とを備える。
【００４５】
図２に示すように、貸出処理機５の前面に、上から順に、状態表示ランプ２６、リモコン受光部２７、紙幣処理部２１の紙幣の挿入口２１ａ、操作表示部２４、再プレイボタン２５、カード処理部２２のカードＣの出入口２２ａが設けられる。計数部２３は、貸出処理機５の最下部に設けられ、その前面に玉受皿部３１が接続される。なお、貸出ボタン１７と、返却ボタン１８とが、貸出処理機５側に設けられてもよい。
【００４６】
紙幣処理部２１は、挿入口２１ａから投入された紙幣の金種が、千円、二千円、五千円、一万円の何れであるかを識別し、識別された金種を制御部２９に通知する。紙幣処理部２１は、投入された紙幣が上記の何れの金種の紙幣でもない場合、挿入口２１ａに返却する。識別後の紙幣は、貸出処理機５に接続された搬送機構部（図示せず）を通じて店舗内に設けられた紙幣回収部（図示せず）に回収される。
【００４７】
カード処理部２２は、出入口２２ａにカードＣが投入されると、そのカードＣを取り込んでカードＣに記憶された有価価値（プリペイド価値、持玉数、貯玉数）などの情報を読み取り、読み取った情報を制御部２９に通知する。また、カード処理部２２は、有価価値の残高（残有価価値）などの情報をカードＣに書き込み（記憶させ）、そのカードＣを出入口２２ａに返却する。カード処理部２２には、一般カードとなるカードＣが予め収納される。貸出処理機５にカードＣが使用されず現金（紙幣）が使用された場合であって、残金を返却する必要がある場合、カード処理部２２は、予め収納されたカードＣに残金に相当するプリペイド価値を記憶させ、そのカードＣを一般カードとして出入口２２ａに返却する。カード処理部２２の詳細な構成については、追って説明する。
【００４８】
計数部２３には、パチンコ台４の下皿１４から落下したパチンコ玉が、玉受皿部３１を通じて導入される。計数部２３は、導入されたパチンコ玉の数を計測し、持玉数として制御部２９に通知する。
【００４９】
操作表示部２４は、たとえば、タッチパネルで構成され、貸出処理機５への各種の入力操作を受け付けるとともに、残金や持玉数など、各種の情報を表示する。再プレイボタン２５は、再プレイを行うために貯玉を貸し出すときに操作されるボタンであり、持玉を貸し出すときにも操作される。
【００５０】
状態表示ランプ２６は、色と点灯状態によって貸出処理機５の状態、たとえば、異常の有無などを知らせる。リモコン受光部２７は、係員が携帯するリモコンからの赤外線による操作信号を受信する。
【００５１】
通信部２８は、ＬＡＮボードなどの通信デバイスを含み、管理装置２やパチンコ台４との間でデータ通信を行う。
【００５２】
記憶部３０は、ＲＯＭ（Read Only Memory）、ＲＡＭ（Random Access Memory）などを備え、制御部２９の動作プログラムを記憶し、また、制御部２９の制御処理の際にワーク領域として利用される。
【００５３】
制御部２９は、ＣＰＵ（Central Processing Unit）等の演算回路を備え、記憶部３０に記憶された動作プログラムに従って、貸出処理機５各構成部（紙幣処理部２１、カード処理部２２、計数部２３、操作表示部２４、再プレイボタン２５、状態表示ランプ２６、リモコン受光部２７、通信部２８等）を制御する。
【００５４】
図４は、本実施形態に係る、カード処理部２２の内部構造を模式的に示す平面図である。
【００５５】
カード処理部２２は、前側に、出入口２２ａから後方に延びる搬送路１０１を備える。カードＣは、搬送路１０１内を、その長手方向が前後方向となるように立てられた状態で搬送される。搬送路１０１に関連し、カードＣを搬送するための搬送機構１０２が設けられる。搬送機構１０２は、搬送路１０１より左側において前後に並ぶ、垂直軸まわりに回転可能な２つの第１ローラ１０３と、２つの第１ローラ１０３の間に掛け渡された第１エンドレスベルト１０４と、搬送路１０１より右側において前後に並ぶ、垂直軸まわりに回転可能な２つの第２ローラ１０５と、２つの第２ローラ１０５の間に掛け渡された第２エンドレスベルト１０６と、搬送路１０１より右側に配置され、第１ローラ１０３を回転駆動する搬送モータ１０７とを含む。第１ローラ１０３および第１エンドレスベルト１０４の一部が、左側から搬送路１０１内に露出し、第２ローラ１０５および第２エンドレスベルト１０６の一部が、右側から搬送路１０１内に露出する。第１エンドレスベルト１０４と第２エンドレスベルト１０６との間には、カードＣを挟み込めるだけの隙間が設けられる。搬送モータ１０７により、第１ローラ１０３が回転駆動されると、第１エンドレスベルト１０４が周回移動する。
【００５６】
搬送路１０１の後方には、カードＣが収納される収納室１０８が設けられる。収納室１０８の右側面の後側は、後右斜めに延びる傾斜面１０８ａに形成される。収納室１０８内には、カードＣとほぼ同じ形状を有する支持板１０９が配置される。支持板１０９は、支持板１０９の後部と収納室１０８の左側面との間に配置された２つのバネ１１０によって傾斜面１０８ａ側に押圧される。収納室１０８内には、複数枚のカードＣが、支持板１０９と傾斜面１０８ａとの間に挟まれることにより、わずかに傾いて積層された状態で収納される。
【００５７】
搬送路１０１の左側には、搬送機構１０２より後方にリーダライタ部１１１が配置される。リーダライタ部１１１は、カードＣに対して有価価値などの情報を読み出したり書き込んだりする情報処理を行う。搬送機構１０２は、出入口２２ａに投入されたカードＣをリーダライタ部１１１により情報処理が可能となる位置（以下、処理位置という）まで移動させるとともに、処理位置のカードＣを出入口２２ａまで移動させる。
【００５８】
搬送路１０１の右側には、シャッターレバー１１２が配置される。シャッターレバー１１２は、前後方向に延び、その後端部に左側に張り出す検知部１１２ａを有する。シャッターレバー１１２は、上下方向に延びる揺動軸１１３によって支持される。シャッターレバー１１２の前端部には、小片状のシャッター１１４が取り付けられる。シャッターレバー１１２は、図４に示すような前後方向に対し後端部が左側に傾いた傾斜位置から前後方向にほぼ平行な平行位置まで、揺動軸１１３まわりに揺動できる。シャッターレバー１１２が傾斜位置にあるとき、検知部１１２ａが収納室１０８内に進出した状態にあり、シャッター１１４が搬送路１０１から退避した状態にある。シャッターレバー１１２が平行位置まで揺動すると、シャッター１１４が搬送路１０１内に進出し、検知部１１２ａが収納室１０８から退避する。
【００５９】
収納室１０８に関連し、搬送路１０１内の処理位置にあるカードＣを収納室１０８内に出し入れするための出入機構１１５が設けられる。出入機構１１５は、取込部１１６と、繰出部１１７と、リフト部１１８と、駆動モータ１１９とを含む。
【００６０】
取込部１１６および繰出部１１７は、搬送路１０１の右側であって、シャッターレバー１１２より下方に配置される。取込部１１６は、前後方向に延びるアーム状を有する。取込部１１６には、その途中部分が右側に折り曲げられた後に後側に折り曲げられ、その後端部が左側に折り曲げられることにより、その後部側に右側に窪む窪み１１６ａが形成される。また、取込部１１６の前端部には、取込爪１２０が、上下に延びる回動軸１１６ｂまわりに回動可能に取り付けられる。図４に示すように、取込爪１２０は、前後方向に沿うように傾倒する傾倒形態（図の実線）と、左右方向に沿うように起立する起立形態（図の破線）とをとる。
【００６１】
繰出部１１７は、前後方向に延びるアーム状を有し、取込部１１６の後方において取込部１１６に連結される。繰出部１１７の前端部１１７ａは、右側に折り曲げられて取込部１１６の窪み１１６ａに左側から嵌め込まれる。前端部１１７ａは、窪み１１６ａ内で前後方向に移動することができ、繰出部１１７は、この前端部１１７ａの移動範囲内において、取込部１１６に対して前後方向に移動可能となる。また、繰出部１１７の後端部には、平坦面１１７ｂが形成され、さらに平坦面１１７ｂの後方に繰出爪１１７ｃが形成される。
【００６２】
取込部１１６と繰出部１１７は、前後方向に移動できる。取込部１１６が図４に示す位置から後方に移動する際、取込部１１６が所定の起立位置（処理位置にあるカードＣよりも前方の位置）に到達すると、取込爪１２０が傾倒形態から起立形態に切り替わる。
【００６３】
リフト部１１８は、収納室１０８の傾斜面１０８ａの後方に配置され、図４に示すような収納室１０８内から退避した退避位置と、収納室１０８内に進出する進出位置との間で左右方向に移動可能である。
【００６４】
駆動モータ１１９は、ギアやカムなどからなる伝達機構（図示せず）を介して取込部１１６、繰出部１１７およびリフト部１１８に連結され、取込部１１６および繰出部１１７を前後方向に移動させるとともに、リフト部１１８を左右方向に移動させる。
【００６５】
出入口２２ａの近傍には、カードＣが出入口２２ａに存在することを検知する出入検知センサ１２１が配置される。出入検知センサ１２１は、たとえば、フォトインタラプタで構成される。
【００６６】
図５（ａ）ないし（ｃ）は、本実施形態に係る、収納室１０８からカードＣを繰り出して出入口２２ａに排出するときの動作であるカード処理部２２の返却動作について説明するための図である。以下、カード処理部２２の返却動作について説明する。
【００６７】
図４に示す状態から、まず、出入機構１１５によって収納室１０８内のカードＣが搬送路１０１の処理位置まで取り出される。即ち、図５（ａ）に示すように、繰出部１１７の繰出爪１１７ｃが収納室１０８内の複数のカードＣよりも後方となる位置まで、取込部１１６と繰出部１１７とが後方に移動する。このとき、最も左側のカードＣの後部が繰出部１１７の平坦面１１７ｂに支えられ、複数のカードＣは、前後方向に沿う状態となる。
【００６８】
次に、図５（ｂ）に示すように、取込部１１６と繰出部１１７とが前方に移動すると、最も左側のカードＣの後端が繰出爪１１７ｃによって前方へ押され、そのカードＣが前方に移動する。これにより、１枚のカードＣが収納室１０８から搬送路１０１の処理位置へと取り出される。本実施形態では、カード処理部２２の前後方向の寸法が小さいため、カードＣが収納室１０８から取り出され処理位置にあるときにもカードＣの後部が収納室１０８内に入り込んだ状態となる。
【００６９】
カードＣが処理位置にあるとき、カードＣに検知部１１２ａが押されることによりシャッターレバー１１２が平行位置に揺動し、シャッター１１４が搬送路１０１内に移動して搬送路１０１を閉じる。これにより、出入口２２ａに別のカードＣが挿入できなくなる。
【００７０】
リーダライタ部１１１により、カードＣに有価価値などの情報が書き込まれると、搬送機構１０２が動作し、カードＣが搬送機構１０２によって出入口２２ａまで搬送される。即ち、第１エンドレスベルト１０４が、カードＣを前方へ移動させる方向に周回移動し、第１エンドレスベルト１０４と第２エンドレスベルト１０６との隙間をカードＣが出入口２２ａへ向けて移動する。カードＣの移動により検知部１１２ａが押されなくなった状態で、シャッター１１４がカードＣの前端で押されると、シャッター１１４が退避して搬送路１０１が開く。図５（ｃ）に示すように、カードＣが出入口２２ａに到達し、カードＣの前部が外部に露出すると、搬送機構１０２が停止する。なお、このとき、カードＣの後端部は、第１エンドレスベルト１０４と第２エンドレスベルト１０６の間に掛かった状態となる。
【００７１】
なお、前後方向の寸法が長くとられるなど、カード処理部２２の構造によっては、カードＣが搬送路１０１の処理位置に取り出されたとき、カードＣ全体が収納室１０８から出た状態となり得る。
【００７２】
図６（ａ）ないし（ｃ）は、本実施形態に係る、出入口２２ａからカードＣを取り込んで収納室１０８に収納するときの動作であるカード処理部２２の受付動作について説明するための図である。以下、カード処理部２２の受付動作について説明する。
【００７３】
カードＣが出入口２２ａに投入された状態は、図５（ｃ）に示される状態と同じような状態である。カードＣが出入口２２ａに投入されると、搬送機構１０２が動作し、カードＣが搬送機構１０２によって搬送路１０１の処理位置まで搬送される。即ち、第１エンドレスベルト１０４が、カードＣを後方へ移動させる方向に周回移動し、第１エンドレスベルト１０４と第２エンドレスベルト１０６との隙間をカードＣが処理位置へ向けて移動する。カードＣが処理位置に到達すると、搬送機構１０２が停止する。
【００７４】
リーダライタ部１１１により、カードＣから有価価値などの情報が読み出されると、出入機構１１５によってカードＣが収納室１０８内に収納される。即ち、図６（ａ）に示すように、繰出部１１７が停止した状態で取込部１１６が後方に移動し、起立形態となった取込爪１２０がカードＣの前端に当てられる。次に、図６（ｂ）に示すように、取込部１１６と繰出部１１７とが後方に移動すると、カードＣの前端が取込爪１２０によって後方へ押され、そのカードＣが後方に移動する。これにより、カードＣが収納室１０８に収納される。その後、図６（ｃ）に示すように、リフト部１１８が進出位置に移動し、収納室１０８内の複数のカードＣの後部が、リフト部１１８によって、繰出部１１７の平坦面１１７ｂから離れるように左側へ押される。この状態で取込部１１６と繰出部１１７とが前方に移動することで、繰出爪１１７ｃがカードＣに当たることなく、取込部１１６と繰出部１１７とが前方の位置に戻る（図４参照）。
【００７５】
なお、収納室１０８内に予め収納されるカードＣは、一般カードである。カードＣが、会員カードである場合、カード処理部２２の受付動作によって、出入口２２ａに投入されたカードＣは、搬送路１０１内の処理位置まで搬送され、リーダライタ部１１１で有価価値等の情報が読み取られた後、処理位置に留まる。そして、返却時には、カード処理部２２の返却動作によって、有価価値等の情報が書き込まれたカードＣが処理位置から出入口２２ａに搬送される。
【００７６】
また、上記の例では、出入口２２ａに投入されたカードＣが一般カードである場合、搬送路１０１内の処理位置でカードＣから有価価値等の情報が読み取られた後、そのカードＣが収納室１０８内に収納される。しかしながら、カード処理部２２は、一旦、カードＣを処理位置に留めるようにし、カードＣに関連付けられていた有価価値が全てなくなり、カードＣを返却する必要がなくなった場合にのみ、そのカードＣが収納室１０８内に収納されるような構成とされてもよい。
【００７７】
次に、貸出処理機５の動作について説明する。
【００７８】
遊技客は、パチンコ台４での遊技を開始する際、カードＣを所持していなければ、紙幣処理部２１の挿入口２１ａに現金（紙幣）を投入する。制御部２９は、投入された現金の金額を、次に発行され得るカードＣに付与されるＩＤに対応付けて記憶部３０に記憶させるとともに、管理装置２に管理させるため、ＩＤと金額の情報を、ネットワーク回線６を介して管理装置２に送る。
【００７９】
一方、遊技客は、プリペイド価値や持玉数など有価価値が関連付けられたカードＣ（会員カード、一般カード）を所持している場合、カード処理部２２の出入口２２ａにカードＣを投入する。制御部２９は、カード処理部２２に、上述した受付動作を行わせ（図６（ａ）ないし（ｃ）参照）、カードＣから読み出された有価価値を、そのカードＣのＩＤに対応付けて記憶部３０に記憶させるとともに、ＩＤと有価価値の情報を、ネットワーク回線６を介して管理装置２に送る。
【００８０】
次に、遊技客は、パチンコ玉を貸し出してもらうため、パチンコ台４の貸出ボタン１７による貸出操作を行う。パチンコ台４の払出機構１５からパチンコ玉の払出しが行われる。パチンコ台４からは、貸し出したパチンコ玉の数量を特定する数量特定情報が貸出処理機５に送られる。
【００８１】
貸出処理機５では、通信部２８を通じて数量特定情報を受け取ると、記憶部３０に記憶された有価価値（ここでは、現金の金額またはプリペイド価値）から、貸し出したパチンコ玉の数量に相当する有価価値を減算し、減算後の有価価値を記憶部３０に記憶させるとともに管理装置２に送る。
【００８２】
遊技客は、投入したカードＣに、貯玉数（会員カードに限られる）や持玉数が関連付けられている場合、パチンコ玉を貸し出してもらうため、貸出処理機５の再プレイボタン２５による貸出操作を行う場合もある。この場合、制御部２９は、貸し出すパチンコ玉の数量を特定する数量特定情報を、貸出指令とともにパチンコ台４に送る。そして、記憶部３０に記憶された貯玉数や持玉数から貸し出した玉数を減算し、減算後の貯玉数や持玉数を記憶部３０に記憶させるとともに管理装置２に送る。パチンコ台４からは、数量特定情報に基づく数量のパチンコ玉が払い出される。
【００８３】
遊技の最中、大当たりなどして、遊技客がパチンコ台４の下皿１４から計数部２３にパチンコ玉を流した場合、制御部２９は、計数部２３で測定された持玉数を、記憶部３０に記憶させるとともに管理装置２に送る。このとき、記憶部３０および管理装置２のデータベースに持玉数が既に存在していれば、新たな持玉数が元の持玉数に加算される。
【００８４】
遊技客は、パチンコ台４での遊技を終えると、残有価価値（現金やプリペイド価値の残高）がある場合、あるいは持玉が存在する場合に、パチンコ台４の返却ボタン１８による返却操作を行う。パチンコ台４から貸出処理機５に向けて返却指令が送られる。
【００８５】
貸出処理機５では、制御部２９が通信部２８を通じて返却指令を受け取ると、残有価価値がある場合、あるいは持玉が存在する場合に、カードＣ（会員カード、一般カード）を返却する（一般カードの新規発行を含む）とともに取り忘れたカードＣの放置を防止するため、カード返却・取り忘れ処理を実行する。
【００８６】
図７および図８は、本実施形態に係る、カード返却・取り忘れ処理の制御動作を示すフローチャートである。図９（ａ）ないし（ｃ）は、それぞれ、本実施形態に係る、操作表示部２４に表示されるガイダンス画面Ｓ１、パスワード入力画面Ｓ２および再入力通知画面Ｓ３の一例を示す図である。
【００８７】
制御部２９は、まず、カード返却処理を行う（Ｓ１０１）。即ち、制御部２９は、カード処理部２２に、上述した返却動作を行わせることにより（図５（ａ）ないし（ｃ）参照）、記憶部３０から読み出した有価価値をカードＣに記憶させ、そのカードＣを出入口２２ａに排出させる。この際、制御部２９は、排出されたカードＣの種類が一般カードであるか会員カードであるかを記憶部３０に記憶させる。
【００８８】
次に、制御部２９は、出入口２２ａからカードＣが抜き取られたか否かを判定する（Ｓ１０２）。出入検知センサ１２１により出入口２２ａのカードＣの存在が検知されなくなると、制御部２９は、カードＣが抜き取られたと判定する。
【００８９】
また、制御部２９は、所定の取り込み条件が満たされたか否かを判定する（Ｓ１０３）。取込み条件は、出入口２２ａに返却されたカードＣを再びカード処理部２２に取り込むための条件であり、たとえば、以下の条件を例示できる。
条件例１：カードＣが出入口２２ａに返却されてから制限時間が経過した。
条件例２：カードＣが出入口２２ａに返却された後にパチンコ台４が遊技を終了した状態となった。
条件例３：条件例１の条件が満たされ、且つ条件例２の条件が満たされた。
条件例４：条件例１の条件または条件例２の条件が満たされた。
【００９０】
条件例１および条件例２は、返却したカードＣが取り忘れられた可能性が高いと見做すための条件である。条件例１において、制限時間は、通常の場合に遊技客がカードＣを抜き取るに要すると考えられる時間より長い時間、たとえば、１０分程度の時間に設定され得る。また、条件例２において、たとえば、パチンコ台４から送信される、アウト玉検出センサ１２からのアウトパルスとセーフ玉検出センサ１６からのセーフパルスの双方が出力されない時間が所定時間（たとえば、１分間）継続したとき、制御部２９が、パチンコ台４が遊技を終了した状態となったと判定することができる。
【００９１】
なお、条件例３のように、条件例１と条件例２とのＡＮＤ条件とすれば、誤判断を減らし、高い精度でカードＣの取り忘れを判断できる。また、条件例４のように、条件例１と条件例２とのＯＲ条件とすれば、素早くカードＣの取り忘れを判断できる。
【００９２】
遊技客が正常にカードＣを抜き取ることにより、取込み条件が満たされる前に出入口２２ａからカードＣが抜き取られると（Ｓ１０３：ＮＯ→Ｓ１０２：ＹＥＳ）、制御部２９は、カード返却・取り忘れ処理を終了する。これにより、貸出処理機５は、カードや現金の投入を待つ待機状態となる。
【００９３】
なお、抜取待ちの間に、遊技客によってカードＣが出入口２２ａの奥方に押し込まれた場合も、制御部２９は、カード返却・取り忘れ処理を終了する。この場合は、再び、カード処理部２２が受付動作を行う。
【００９４】
一方、遊技客がカードＣの抜取を忘れることにより、カードＣが出入口２２ａから抜き取られることなく取り込み条件が満たされると（Ｓ１０２：ＮＯ→Ｓ１０３：ＹＥＳ）、制御部２９は、カード取込処理を行う（Ｓ１０４）。即ち、制御部２９は、カード処理部２２にカードＣの取込動作を行わせる。カード処理部２２では、受付動作のとき同じように搬送機構１０２が動作する。図５（ｃ）で説明した通り、出入口２２ａに排出されたカードＣは、その後端部が搬送機構１０２の第１エンドレスベルト１０４と第２エンドレスベルト１０６の間に掛かった状態にあるので、搬送機構１０２の動作によって、カードＣが搬送路１０１の処理位置まで搬送される（図６（ａ）参照）。これにより、カードＣ全体が、カード処理部２２の内部に取り込まれる。なお、一般カードの受付動作の場合とは異なり、カードＣは、処理位置、即ち、収納室１０８内に収納される前の位置に留まり、収納室１０８内に収納された状態（カードＣ全体が収納室１０８内に入った状態）とはならない。
【００９５】
次に、制御部２９は、操作表示部２４にガイダンス画面Ｓ１を表示させる（Ｓ１０５）。図９（ａ）に示すように、ガイダンス画面Ｓ１は、カードＣの取り忘れがあることを通知するメッセーＭ１を含む。これにより、カードＣの取り忘れがあったことが外部に知らされる。なお、ガイダンス画面Ｓ１による通知とともに、音声による通知が行われてもよい。
【００９６】
次に、制御部２９は、取り込んだカードＣが会員カードおよび一般カードの何れであるかを判定する（Ｓ１０６）。取り込んだカードＣが一般カードである場合（１０６：一般）、制御部２９は、一般用の使用制限処理を行う（Ｓ１０７）。使用制限処理は、少なくとも取り込まれたカードＣが関わる貸出処理機５の使用を制限するための処理であり、ここでは、遊技客による一切の入力操作、即ち、操作表示部２４への入力操作、再プレイボタン２５および貸出ボタン１７による貸出操作、並びに返却ボタン１８による返却操作が受け付けられなくなる。また、紙幣処理部２１による現金の受け付け、カード処理部２２による新たなカードＣの受け付けも行われなくなる。但し、係員が所持するリモコンによるカードＣの取出操作は受け付けられる。なお、カードＣが関わらない入力操作、たとえば、貸出処理機５の操作ガイダンス、貸出処理機５が接続されたパチンコ台４の機種情報、店頭広告など一般的な情報を操作表示部２４で閲覧するための入力操作は受け付けられるようにしてもてもよい。
【００９７】
次に、制御部２９は、管理装置２を介して、係員が装着するインカム（ヘッドフォンセット）に、カードＣの取り忘れが生じたことを示す情報を送信する（Ｓ１０８）。なお、かかる情報送信が、管理装置２を介さず、直接、貸出処理機５からインカムになされてもよい。
【００９８】
その後、制御部２９は、係員のリモコンによる取出操作を待つ（Ｓ１０９）。そして、リモコンからの取出操作を受け付けると（Ｓ１０９：ＹＥＳ）、制御部２９は、カード排出処理を行う（Ｓ１１０）。即ち、制御部２９は、取り込んだカードＣを出入口２２ａに排出させる。そして、制御部２９は、使用制限処理を停止し（Ｓ１１１）、カード返却・取り忘れ処理を終了する。
【００９９】
カード取込処理によってカード処理部２２に取り込んだカードＣが会員カードである場合（Ｓ１０６：会員）、制御部２９は、会員用の使用制限処理を行う（Ｓ１１２）。会員用の使用制限処理は、一部の内容が一般用の使用制限処理と異なる。ここでは、再プレイボタン２５、貸出ボタン１７および返却ボタン１８による操作を受け付けられなくなるが、操作表示部２４において、会員カードであるカードＣに付されたパスワードの入力操作が可能となる。その他、たとえば、操作表示部２４での会員情報を閲覧するための入力操作が可能となってもよい。
【０１００】
ガイダンス画面Ｓ１の表示から一定時間が経過すると（Ｓ１１３：ＹＥＳ）、制御部２９は、操作表示部２４にパスワード入力画面Ｓ２を表示させる（Ｓ１１４）。図９（ｂ）に示すように、パスワード入力画面Ｓ２は、０〜９の数字からなるテンキーＫ１と、パスワードの桁数が表示される表示ボックスＤ１とを含む。表示ボックスＤ１には、桁数が、たとえば、「・」の記号で表示され、テンキーＫ１で数字が入力されると、「・」の記号が、たとえば「＊」の記号に替わる。なお、パスワードに、数字だけでなく文字（アルファベット、ひらがな等）や記号が含まれてもよい。この場合、パスワード入力画面Ｓ２に、テンキーＫ１に替えてソフトキーボードが配置される。
【０１０１】
パスワード入力画面Ｓ２においてパスワードが入力されると（Ｓ１１５：ＹＥＳ）、制御部２９は、入力されたパスワードが、取り込まれたカードＣ（会員カード）に付されたパスワードと一致するか否かを判定する（Ｓ１１６）。パスワードが一致している場合（Ｓ１１６：ＹＥＳ）、制御部２９は、カード排出処理を行うとともに（Ｓ１１０）、使用制限処理を停止し（Ｓ１１１）、カード返却・取り忘れ処理を終了する。
【０１０２】
一方、パスワードが一致していない場合（Ｓ１１６：ＮＯ）、制御部２９は、不一致の回数が所定の閾値（たとえば、３回）を超えていなければ（Ｓ１１７：ＮＯ）、操作表示部２４に再入力通知画面Ｓ３を表示させた後（Ｓ１１８）、再び、操作表示部２４にパスワード入力画面Ｓ２を表示させる（Ｓ１１４）。図９（ｃ）に示すように、再入力通知画面Ｓ３には、パスワードの再入力を促すメッセージＭ２が含まれる。
【０１０３】
パスワードの不一致回数が閾値を超えると（Ｓ１１７：ＹＥＳ）、Ｓ１０８の処理へと移行し、制御部２９は、係員のインカムに、カードＣの取り忘れが生じたことを示す情報を送信する（Ｓ１０８）。なお、パスワード入力画面Ｓ２によるパスワードの入力が開始されないまま所定の制限時間（たとえば、１０分）が経過した場合も（Ｓ１１９：ＹＥＳ）、Ｓ１０８の処理へと移行し、制御部２９による取り忘れ情報の送信が行われる（Ｓ１０８）。以降、一般カードの場合と同様、Ｓ１０９ないしＳ１１１の処理が行われ、カード返却・取り忘れ処理が終了する。
【０１０４】
＜実施形態の効果＞
本実施形態によれば、以下の効果が奏され得る。
【０１０５】
（１）カード処理部２２の出入口２２ａに返却されたカードＣが、取り忘れられた状態になると、カード処理部２２の内部に取り込まれるので、取り忘れられたカードＣが放置されたままとなることを防止できる。これにより、カードＣの紛失等が防止される。
【０１０６】
（２）取り忘れのためにカード処理部２２に取り込まれたカードＣは、収納室１０８に収納された状態とならず、その前の状態に留められるので、そのカードＣを、再び返却する際、収納室１０８から取り出す作業が要らない分、カードＣを速く出入口２２ａに返却できる。
【０１０７】
（３）取り忘れられたカードＣがカード処理部２２に取り込まれた後は、カードＣに関わる貸出処理機５の使用が制限されるので、取り込まれたカードＣに関する不具合が生じることが防止される。特に、パチンコ玉を貸し出すための貸出操作が禁止されるので、取り込まれたカードＣに関連付けられた有価価値が不用意に使用されることが防止される。
【０１０８】
（４）カードＣの種類が会員カードであるか一般カードであるかに応じて使用制限処理の内容が変更されるので、貸出処理機５の使用に、カードＣに関連付けられる情報内容に応じた制限を掛けることができる。
【０１０９】
（５）取り忘れのためにカード処理部２２に取り込まれたカードＣが、パスワードが付与された会員カードである場合、パスワードの入力が許容され、受け付けられたパスワードがカードＣに付与されたパスワードに一致する場合、使用制限処理が停止されるので、会員カードを所持する遊技客は、係員によらず自ら貸出処理機５を通常の状態に戻すことができ、遊技客に対する利便性が向上する。
【０１１０】
（６）受け付けられたパスワードがカードＣに付与されたパスワードに一致する場合、取り込まれたカードＣが返却されるので、会員カードを所持する遊技客は、一旦取り込まれたカードＣを、係員によらず自ら貸出処理機５から取り出すことができ、遊技客に対する利便性が向上する。
【０１１１】
以上、本発明の実施形態について説明したが、本発明は、上記実施形態によって何ら制限されるものではなく、また、本発明の実施形態も、以下に示す通り、上記以外に種々の変更が可能である。
【０１１２】
＜変更例１＞
図１０（ａ）は、変更例１に係る、カード返却・取り忘れ処理の制御動作を示すフローチャートであり、図１０（ｂ）は、変更例１に係る、操作表示部２４に表示される返却ワード入力画面Ｓ４の一例を示す図である。なお、図１０（ａ）に示すカード返却・取り忘れ処理では、図７および図８に示すカード返却・取り忘れ処理と比較した場合に、Ｓ１２１ないしＳ１２３の処理が付加される。さらに、図１０（ａ）のフローチャートでは、Ｓ１０２以降の処理の図示が省略されている。
【０１１３】
上記実施形態では、パチンコ台４側で返却ボタン１８による返却操作が行われ、カード返却・取り忘れ処理が開始されると、直ちに、カード返却処理が行われた。
【０１１４】
これに対し、本変更例では、カードＣが返却されるために、貸出処理機５側で更なる返却操作が求められる。
【０１１５】
即ち、カード返却・取り忘れ処理が開始されると、制御部２９は、操作表示部２４に返却ワード入力画面Ｓ４を表示させる（Ｓ１２１）。図１０（ｂ）に示すように、返却ワード入力画面Ｓ４は、０〜９の数字からなるテンキーＫ２と、テンキーＫ２で入力された数字が表示される表示ボックスＤ２とを含む。さらに、返却ワード入力画面Ｓ４には、数桁の数字列からなる返却ワードＷ１が表示される。なお、返却ワードＷ１に、数字だけでなく文字（アルファベット、ひらがな等）や記号が含まれてもよい。この場合、返却ワード入力画面Ｓ４に、テンキーＫ２に替えてソフトキーボードが配置される。
【０１１６】
遊技客は、テンキーＫ２を用いて、表示された返却ワードＷ１と同じ数字列を入力する。数字列の入力があると（Ｓ１２２：ＹＥＳ）、制御部２９は、入力された数字列が返却ワードＷ１に一致するか否かを判定し（Ｓ１２３）、一致すれば（Ｓ１２３：ＹＥＳ）、カード返却処理を行う（Ｓ１０１）。
【０１１７】
本変更例では、カードＣの返却操作にある程度時間が掛かるようになるので、貸出処理機５から他人に容易にカードＣが引き出されることを防止できる。
【０１１８】
＜その他の変更例＞
上記実施形態では、カード返却処理の際、カードＣに有価価値を関連づけるため、管理装置２のデータベースに記憶されたＩＤと、このＩＤに対応付けられた有価価値の双方がカードＣに記憶される。しかしながら、カードＣにＩＤのみが記憶されてもよい。この場合、管理装置２においてＩＤに有価価値が対応付けられているので、カードＣにＩＤが記憶されれば、結果的にカードＣに有価価値が関連付けられることになる。
【０１１９】
また、上記実施形態では、カードＣが会員カードである場合、パスワードの入力によってカードＣの返却と使用制限処理の停止とが行われるようにした。しかしながら、カードＣが会員カードの場合も一般カードと同じ処理を行うようにし（Ｓ１０７ないしＳ１１１）、パスワードの入力を求めないようにしてもよい。
【０１２０】
さらに、上記実施形態において、パチンコ台４に座る遊技客を撮影する撮影部をパチンコ台４あるいは貸出処理機５に設置してもよい。この場合、取り込み条件として、以下の条件例５を加えることができる。
条件例５：カードＣが出入口２２ａに返却された後に撮影部により遊技客が撮影されなくなった。
【０１２１】
条件例５では、カードＣが抜き取られないまま遊技客がパチンコ台４から離席したことで、カードＣが取り忘れられた可能性が高いと見做すことができる。この場合、条件例１や条件例２に条件例５が適宜組み合わされてもよい。たとえば、条件例１、２および５を、ＡＮＤ条件としてもよく、ＯＲ条件としてもよい。
【０１２２】
さらに、上記実施形態において、カードＣをカード処理部２２に取り込んだ後、カードＣの取り忘れが発生した旨の報知を、状態表示ランプ２６を所定の色、所定の点灯状態で点灯させることによって行うようにしてもよい。
【０１２３】
さらに、上記実施形態において、カード処理部２２の出入口２２ａに返却されたカードＣの抜取を待っている間に、そのカードＣに関連付けられた有価価値とは別の有価価値による取引、たとえば、新たに投入された現金によってパチンコ玉の貸し出しが行われる場合、あるいは、携帯電話機を用いて貯玉を扱える携帯会員が、その携帯電話機に記憶した貯玉でパチンコ玉の貸し出しを行う場合、カードＣを再びカード処理部２２に取り込んで、現在取引中の有価価値と、取り込んだカードＣに関連付けられた有価価値とを合算させるようにしてもよい。
【０１２４】
さらに、上記実施形態において、カード取込処理で取り込んだカードＣのＩＤが出入口２２ａに返却されたカードＣのＩＤと異なる場合、取り込んだカードＣを直ちに出入口２２ａに返却するようにしてもよい。
【０１２５】
さらに、上記実施形態では、貸出処理機５が計数部２３を備える。しかしながら、貸出処理機５が必ずしも計数部２３を備えなくてよい。また、貸出処理機５に、貯玉や持玉であるパチンコ玉を貸し出すときに、これらのパチンコ玉を払い出す払出ノズルが設けられてもよい。
【０１２６】
さらに、上記実施形態では、本発明の各台装置の一例として、パチンコ台４に併設され、パチンコ玉の貸し出しを行う貸出処理機５が挙げられた。しかしながら、本発明の各台装置は、遊技台であるパチスロ台に併設され、遊技媒体であるメダルの貸し出しを行う貸出処理機に適用することもできる。
【０１２７】
この他、本発明の実施形態は、特許請求の範囲に記載の範囲で適宜変更可能である。
【符号の説明】
【０１２８】
１  遊技システム
２  管理装置
４  パチンコ台（遊技台）
５  貸出処理機（各台装置）
２２  カード処理部（記憶媒体処理部）
２２ａ  出入口（開口部）
２９  制御部
１０８  収納室（収納部）
Ｃ  カード（記憶媒体）
【図１】
2018078933.tif 000003
【図２】
2018078933.tif 000004
【図３】
2018078933.tif 000005
【図４】
2018078933.tif 000006
【図５】
2018078933.tif 000007
【図６】
2018078933.tif 000008
【図７】
2018078933.tif 000009
【図８】
2018078933.tif 000010
【図９】
2018078933.tif 000011
【図１０】
2018078933.tif 000012